(57)【特許請求の範囲】
【請求項１】
水平方向にされることが予定されている第一方向と、上下方向にされることが予定されている第二方向とを有するデジタルサイネージであって、
画像を表示するための表示画面を有し、前記表示画面の前記第一方向における一端側の背面に吸気のためのディスプレイ吸気口を備え、前記表示画面の前記第一方向における他端側の背面に排気のためのディスプレイ排気口を備え、前記第一方向に沿って互いに離間して配設された第一及び第二ディスプレイ装置と、
前記第一及び第二ディスプレイ装置を収容すると共に前記第一及び第二ディスプレイ装置の表示画面を外部から視認可能にする表示窓を備えた第一筐体と、
前記第一ディスプレイ装置と前記第二ディスプレイ装置との間で前記第一筐体内の空間を仕切るように、前記第二方向に延びて互いに平行に延設された第一及び第二仕切板と、
前記第一筐体内の前記第一仕切板と前記第二仕切板とで仕切られた中間領域内の空気を前記第一ディスプレイ装置の表示画面と前記表示窓との間に送風する第一ファンと、
前記中間領域内の空気を前記第二ディスプレイ装置の表示画面と前記表示窓との間に送風する第二ファンとを備え、
前記第一ディスプレイ装置は、前記第一筐体内の前記第一仕切板で仕切られた領域であって、前記第二仕切板とは反対側の第一領域に配設され、
前記第一ディスプレイ装置の前記ディスプレイ吸気口は、当該第一ディスプレイ装置の前記ディスプレイ排気口よりも前記第一仕切板に近い側に配置され、
前記第二ディスプレイ装置は、前記第一筐体内の前記第二仕切板で仕切られた領域であって、前記第一仕切板とは反対側の第二領域に配設され、
前記第二ディスプレイ装置の前記ディスプレイ排気口は、当該第二ディスプレイ装置の前記ディスプレイ吸気口よりも前記第二仕切板に近い側に配置され、
前記第一筐体における前記第一領域の背面側には、前記第一筐体の外部から前記第一領域内に吸気するための第一吸気口と前記第一領域内の空気を排気するための第一排気口が配設され、前記第一吸気口は、前記第一排気口よりも前記第一仕切板に近い側に配置され、
前記第一筐体における前記第二領域の背面側には、前記第二領域の外部から前記第二領域内に吸気するための第二吸気口と前記第二領域内の空気を排気するための第二排気口が配設され、前記第二排気口は、前記第二吸気口よりも前記第二仕切板に近い側に配置され、
前記第一及び第二仕切板のうち前記第一仕切板にのみ、通気口が形成されているデジタルサイネージ。
【請求項２】
前記第一筐体の前記第二方向側に隣接して取り付けられた第二筐体と、
前記第二筐体内の空気を外部に排出する排気ファンとをさらに備え、
前記第一筐体と前記第二筐体との間には、前記中間領域と前記第二筐体内の空間とを連通させる連通孔が形成されている請求項１記載のデジタルサイネージ。
【請求項３】
前記第二筐体は、前記第一筐体の下側になることが予定されている側に隣接して取り付けられている請求項２記載のデジタルサイネージ。
【発明の詳細な説明】
【技術分野】
【０００１】
本発明は、ディスプレイ装置を筐体内に収容し、屋外や公共空間等に設置可能にした、いわゆるデジタルサイネージに関する。
【背景技術】
【０００２】
近年、屋外、店頭、公共空間、交通機関など、様々な場所で、ネットワークに接続したディスプレイ装置などの電子的な表示機器を使って情報を発信する、いわゆるデジタルサイネージが用いられている。このようなデジタルサイネージは、ディスプレイ装置の発熱が筐体内に籠もり、ディスプレイ装置の動作温度を超えてしまうおそれがある。
【０００３】
そこで、筐体の下方から外気を吸気し、筐体の上部から排気することで、ディスプレイ装置を空冷するようにした案内表示盤が知られている（例えば、特許文献１参照。）。
【先行技術文献】
【特許文献】
【０００４】
【特許文献１】実開平４−１３９８２号公報
【発明の概要】
【発明が解決しようとする課題】
【０００５】
しかしながら、上述の案内表示盤によれば、雨の日に雨粒を筐体下部から吸い込み、筐体内部全体を濡らしてしまうおそれがあった。そのため、筐体内に収容されたディスプレイ装置や電気回路が水に濡れて故障や誤動作等の障害を生じるおそれがあった。
【０００６】
本発明の目的は、雨天であっても障害を生じるおそれを低減することができるデジタルサイネージを提供することである。
【課題を解決するための手段】
【０００７】
本発明に係るデジタルサイネージは、水平方向にされることが予定されている第一方向と、上下方向にされることが予定されている第二方向とを有するデジタルサイネージであって、画像を表示するための表示画面を有し、前記表示画面の前記第一方向における一端側の背面に吸気のためのディスプレイ吸気口を備え、前記表示画面の前記第一方向における他端側の背面に排気のためのディスプレイ排気口を備え、前記第一方向に沿って互いに離間して配設された第一及び第二ディスプレイ装置と、前記第一及び第二ディスプレイ装置を収容すると共に前記第一及び第二ディスプレイ装置の表示画面を外部から視認可能にする表示窓を備えた第一筐体と、前記第一ディスプレイ装置と前記第二ディスプレイ装置との間で前記第一筐体内の空間を仕切るように、前記第二方向に延びて互いに平行に延設された第一及び第二仕切板と、前記第一筐体内の前記第一仕切板と前記第二仕切板とで仕切られた中間領域内の空気を前記第一ディスプレイ装置の表示画面と前記表示窓との間に送風する第一ファンと、前記中間領域内の空気を前記第二ディスプレイ装置の表示画面と前記表示窓との間に送風する第二ファンとを備え、前記第一ディスプレイ装置は、前記第一筐体内の前記第一仕切板で仕切られた領域であって、前記第二仕切板とは反対側の第一領域に配設され、前記第一ディスプレイ装置の前記ディスプレイ吸気口は、当該第一ディスプレイ装置の前記ディスプレイ排気口よりも前記第一仕切板に近い側に配置され、前記第二ディスプレイ装置は、前記第一筐体内の前記第二仕切板で仕切られた領域であって、前記第一仕切板とは反対側の第二領域に配設され、前記第二ディスプレイ装置の前記ディスプレイ排気口は、当該第二ディスプレイ装置の前記ディスプレイ吸気口よりも前記第二仕切板に近い側に配置され、前記第一筐体における前記第一領域の背面側には、前記第一筐体の外部から前記第一領域内に吸気するための第一吸気口と前記第一領域内の空気を排気するための第一排気口が配設され、前記第一吸気口は、前記第一排気口よりも前記第一仕切板に近い側に配置され、前記第一筐体における前記第二領域の背面側には、前記第二領域の外部から前記第二領域内に吸気するための第二吸気口と前記第二領域内の空気を排気するための第二排気口が配設され、前記第二排気口は、前記第二吸気口よりも前記第二仕切板に近い側に配置され、前記第一及び第二仕切板のうち前記第一仕切板にのみ、通気口が形成されている。
【０００８】
この構成によれば、第一及び第二ディスプレイ装置を収容する第一筐体内の空間が、第一及び第二仕切板によって、第一ディスプレイ装置が配設される第一領域、第二ディスプレイ装置が配設される第二領域、及び第一ディスプレイ装置と第二ディスプレイ装置との間の中間領域に仕切られる。第一領域には第一吸気口と第一排気口とが設けられ、第二領域には第二吸気口と第二排気口とが設けられる。これによれば、第一吸気口や第一排気口から第一領域に雨水等が吹き込んだ場合であっても、第一及び第二仕切板によって、その雨水等が第二領域に侵入することが妨げられ、第二吸気口や第二排気口から第二領域に雨水等が吹き込んだ場合であっても、第一及び第二仕切板によって、その雨水等が第一領域に侵入することが妨げられるので、雨天であっても障害を生じるおそれを低減することができる。また、外気を吸気する第一吸気口側に近い第一仕切板に通気口が形成され、機器の冷却を行って温度が上昇した空気を排気する第二排気口側に近い第二仕切板には通気口が形成されない。その結果、第一及び第二ファンが中間領域内の空気を第一及び第二ディスプレイ装置の表示画面へ送風すると、第一吸気口により吸気された外気が第一及び第二ディスプレイ装置の表示画面へ送風されて冷却され、温度が上昇した第二仕切板側の空気が送風されることがないので、第一及び第二ディスプレイ装置の冷却効率を向上させることができる。
【０００９】
また、前記第一筐体の前記第二方向側に隣接して取り付けられた第二筐体と、前記第二筐体内の空気を外部に排出する排気ファンとをさらに備え、前記第一筐体と前記第二筐体との間には、前記中間領域と前記第二筐体内の空間とを連通させる連通孔が形成されていることが好ましい。
【００１０】
この構成によれば、排気ファンによって第二筐体内の空気が外部に排出されると、中間領域の空気すなわち第一吸気口により外部から吸気されて第一仕切板の通気口から中間領域へ導入された空気が、連通孔を通って第二筐体内に導入される。従って、第二筐体内を効果的に空冷することができる。
【００１１】
また、前記第二筐体は、前記第一筐体の下側になることが予定されている側に隣接して取り付けられていてもよい。
【００１２】
この構成によれば、第一筐体の下側に第二筐体が配置されるから、連通孔は第一筐体の底部に設けられることになる。そのため、もし仮に、連通孔が第一領域や第二領域に設けられていた場合、第一吸気口、第一排気口、第二吸気口、及び第二排気口から侵入した雨水が第一筐体底部の連通孔から第二筐体へ流れ込むおそれがある。一方、この構成によれば、連通孔は第一仕切板と第二仕切板とで挟まれた中間領域を第二筐体と連通させるので、第一吸気口、第一排気口、第二吸気口、及び第二排気口から侵入して第一筐体底部に溜まった雨水は、第一及び第二仕切板によって、連通孔に流れ込んで第二筐体に侵入することが妨げられる。その結果、雨天であっても障害を生じるおそれを低減することができる。
【発明の効果】
【００１３】
このような構成のデジタルサイネージは、雨天であっても障害を生じるおそれを低減することができる。
【図面の簡単な説明】
【００１４】
【図１】本発明の一実施形態に係るデジタルサイネージを、前面側から見た外観の一例を示す斜視図である。
【図２】図１に示すデジタルサイネージを、背面側から見た外観の一例を示す斜視図である。
【図３】図１に示すディスプレイ装置を、背面側から見た外観の一例を示す斜視図である。
【図４】図１に示すデジタルサイネージの内部構成の一例を示す斜視図である。
【図５】図４に示すデジタルサイネージに、ディスプレイ装置と、第一及び第二ファンとを取り付けた状態を示す説明図である。
【発明を実施するための形態】
【００１５】
以下、本発明に係る実施形態を図面に基づいて説明する。なお、各図において同一の符号を付した構成は、同一の構成であることを示し、その説明を省略する。図１は、本発明の一実施形態に係るデジタルサイネージを、前面側から見た外観の一例を示す斜視図である。図１に示すデジタルサイネージ１は、略箱状の第一筐体２と、略箱状の第二筐体３とを備えている。第一筐体２は、第二筐体３の上部に取り付けられている。
【００１６】
第一筐体２の前面の壁には、略矩形形状を有する透明の第一表示窓４と第二表示窓５とが取り付けられている。第一表示窓４及び第二表示窓５は、例えばガラスや透明樹脂等で構成されている。第一表示窓４及び第二表示窓５は、水平方向に並べて配設されている。第一筐体２の前面の壁は、開閉可能にされていてもよい。
【００１７】
以下、デジタルサイネージ１が使用に供されるべく設置されたときに、水平方向となるデジタルサイネージ１の方向を左右方向（第一方向）、鉛直方向となるデジタルサイネージ１の方向を上下方向（第二方向）、デジタルサイネージ１の奥行き方向を前後方向と称する。
【００１８】
第一筐体２内には、ディスプレイ装置６，７が左右方向に並んで収容されている。ディスプレイ装置６，７は、左右方向に互いに離間して配設されている。ディスプレイ装置６，７は、略箱状のディスプレイ筐体６２，７２を備え、ディスプレイ筐体６２の前面に表示画面６１が取り付けられ、ディスプレイ筐体７２の前面に表示画面７１が取り付けられている。そして、第一表示窓４によってディスプレイ装置６（第一ディスプレイ装置）の表示画面６１が視認可能にされ、第二表示窓５によってディスプレイ装置７（第二ディスプレイ装置）の表示画面７１が視認可能にされている。
【００１９】
第二筐体３の左右側壁には、第三排気口３１，３２が設けられている。第三排気口３１，３２には、雨よけのためのルーバーが取り付けられている。第三排気口３１，３２には、第二筐体３内の空気を強制排気するための排気ファン３１１，３２１（図４参照）が取り付けられている。第二筐体３には、例えば、図略の無停電電源装置、通信回路、及び制御装置等、種々の機器、回路等を収容することができる。なお、第二筐体３内に、強制冷却のための強制冷却装置、いわゆるクーラーを収容してもよく、第三排気口３１，３２のうちいずれか一つのみを備える構成であってもよい。
【００２０】
図２は、図１に示すデジタルサイネージ１を、背面側から見た外観の一例を示す斜視図である。第一筐体２の背面には、三つの第一吸気口２１１，２１１，２１１と、二つの第一排気口２１２，２１２と、三つの第二吸気口２２１，２２１，２２１と、二つの第二排気口２２２，２２２とが取り付けられている。第一吸気口２１１、第一排気口２１２、第二吸気口２２１、及び第二排気口２２２には、雨よけのためのルーバーが取り付けられている。
【００２１】
図３は、図１に示すディスプレイ装置６を、背面側から見た外観の一例を示す斜視図である。ディスプレイ装置６の左側背面端部近傍には、三つのディスプレイ吸気口８，８，８が上下方向に並んで形成され、ディスプレイ装置６の右側背面端部近傍には、三つのディスプレイ排気口９，９，９が上下方向に並んで形成されている。ディスプレイ吸気口８，８，８及びディスプレイ排気口９，９，９には、例えば塵埃がディスプレイ筐体６２内に入ることを防止するためのフィルタが取り付けられている。ディスプレイ装置７は、ディスプレイ装置６と同様に構成されているのでその説明を省略する。
【００２２】
図４は、図１に示すデジタルサイネージ１の内部構成の一例を示す斜視図である。図４は、図１に示すデジタルサイネージ１から、第一筐体２の前面の壁、第二筐体３の前面の壁、ディスプレイ装置６，７、及び後述する第一及び第二ファンＦ１，Ｆ２を取り外して前方から第一筐体２及び第二筐体３の内部を見た図とされている。以下の図では空気の流れを矢印で示している。
【００２３】
第一筐体２内の空間は、上下方向に延びて互いに平行に離間して延設された第一仕切板１１と第二仕切板１２とによって、第一領域Ａ１、第二領域Ａ２、及び中間領域Ａ３の三つの領域に区分されている。図４の例では第一仕切板１１が右側、第二仕切板１２が左側に配置されている。第一領域Ａ１は、第一筐体２の右側壁と第一仕切板１１とで挟まれた領域とされ、第二領域Ａ２は、第一筐体２の左側壁と第二仕切板１２とで挟まれた領域とされ、中間領域Ａ３は、第一仕切板１１と第二仕切板１２とで挟まれた領域とされている。第一領域Ａ１は、ディスプレイ装置６が配設される領域とされ、第二領域Ａ２は、ディスプレイ装置７が配設される領域とされている。
【００２４】
第一仕切板１１の前方端は、後述する最も下側の通気口１４の下端より上方が切り欠かれている。これにより、第一仕切板１１の切り欠き部から、後述する第一ファンＦ１によって中間領域Ａ３内の空気を、ディスプレイ装置６の表示画面６１方向へ送風可能にされている。また、第一仕切板１１の前方端は、最も下側の通気口１４の下端から第一筐体２の底部までは、第一筐体２の前面の壁に達するようにされている。これにより、第一領域Ａ１の底に雨水が溜まった場合であっても、第一領域Ａ１から中間領域Ａ３に水が流れ込まないようにされている。
【００２５】
同様に、第二仕切板１２の前方端は、第一仕切板１１と同じ高さより上方が切り欠かれている。これにより、第二仕切板１２の切り欠き部から、後述する第二ファンＦ２によって中間領域Ａ３内の空気を、ディスプレイ装置７の表示画面７１方向へ送風可能にされている。また、第二仕切板１２の前方端は、第一筐体２の底部からその切り欠き部までは、第一筐体２の前面の壁に達するようにされている。これにより、第二領域Ａ２の底に雨水が溜まった場合であっても、第二領域Ａ２から中間領域Ａ３に水が流れ込まないようにされている。
【００２６】
第一筐体２における第一領域Ａ１の背面には、第一領域Ａ１の外部から第一領域Ａ１内に吸気するための第一吸気口２１１，２１１，２１１と、第一領域Ａ１内の空気を排気するための第一排気口２１２，２１２とが配設されている。第一吸気口２１１，２１１，２１１は、第一領域Ａ１の左側端部近傍に、上下方向に並んで配置されている。第一排気口２１２，２１２は、第一領域Ａ１の右側端部近傍に、上下方向に並んで配置されている。すなわち、第一吸気口２１１，２１１，２１１は、第一排気口２１２，２１２よりも第一仕切板１１に近い側に配置されている。
【００２７】
第一筐体２における第二領域Ａ２の背面には、第二領域Ａ２の外部から第二領域Ａ２内に吸気するための第二吸気口２２１，２２１，２２１と、第二領域Ａ２内の空気を排気するための第二排気口２２２，２２２とが配設されている。第二吸気口２２１，２２１，２２１は、第二領域Ａ２の左側端部近傍に、上下方向に並んで配置されている。第二排気口２２２，２２２は、第二領域Ａ２の右側端部近傍に、上下方向に並んで配置されている。すなわち、第二排気口２２２，２２２は、第二吸気口２２１，２２１，２２１よりも第二仕切板１２に近い側に配置されている。
【００２８】
第一吸気口２１１，２１１，２１１、第一排気口２１２，２１２、第二吸気口２２１，２２１，２２１、及び第二排気口２２２，２２２には、内側に、上方に向けて開口する開口部２１を備えたカバー２２が取り付けられている。カバー２２により、外部から第一筐体２内に雨滴が入りにくくされている。第一吸気口２１１，２１１，２１１、第一排気口２１２，２１２、第二吸気口２２１，２２１，２２１、及び第二排気口２２２，２２２による吸気、又は排気は、カバー２２の開口部２１を介して行われる。
【００２９】
第一排気口２１２，２１２及び第二排気口２２２，２２２の開口部２１には、排気ファン２３が取り付けられている。これにより、第一領域Ａ１内の空気が第一排気口２１２，２１２から強制排気され、第二領域Ａ２内の空気が第二排気口２２２，２２２から強制排気されるようになっている。排気ファン２３としては、例えばクロスフローファンを好適に用いることができる。
【００３０】
第一領域Ａ１内の空気が第一排気口２１２，２１２から強制排気されると、第一領域Ａ１内の気圧が低下し、第一吸気口２１１，２１１，２１１から第一領域Ａ１内へ外気が吸気される。一方、第二領域Ａ２内の空気が第二排気口２２２，２２２から強制排気されると、第二領域Ａ２内の気圧が低下し、第二吸気口２２１，２２１，２２１から第二領域Ａ２内へ外気が吸気される。
【００３１】
ここで、図３に示すように、ディスプレイ装置６の左側背面端部近傍にディスプレイ吸気口８，８，８が配置され、ディスプレイ装置６の右側背面端部近傍にディスプレイ排気口９，９，９が配置されているので、第一領域Ａ１にディスプレイ装置６が取り付けられると、第一吸気口２１１，２１１，２１１とディスプレイ吸気口８，８，８とが第一領域Ａ１内の左側に、互いに対応するように配置される。従って、第一吸気口２１１，２１１，２１１により吸気された低温の外気がスムーズにディスプレイ吸気口８，８，８からディスプレイ筐体６２内に吸気されるので、効率よくディスプレイ装置６の内部を空冷することが可能となる。
【００３２】
また、ディスプレイ装置６の右側背面端部近傍にディスプレイ排気口９，９，９が配置されているので、第一領域Ａ１にディスプレイ装置６が取り付けられると、ディスプレイ装置６のディスプレイ排気口９，９，９と第一排気口２１２，２１２とが第一領域Ａ１内の右側に、互いに対応するように配置される。従って、ディスプレイ排気口９，９，９から排気された空気、すなわちディスプレイ装置６内部を冷却して高温になった空気がスムーズに第一筐体２外に排気されるので、効率よく第一筐体２内の熱を外部に排気することが可能となる。
【００３３】
同様に、第二領域Ａ２では、第二吸気口２２１，２２１，２２１とディスプレイ装置７のディスプレイ吸気口８，８，８とが、共に第二領域Ａ２内で左側に配置されて対応し、ディスプレイ装置７のディスプレイ排気口９，９，９と第二排気口２２２，２２２とが対応する。その結果、第一領域Ａ１の場合と同様、ディスプレイ装置７を効率よく冷却し、効率よく第二筐体３内の熱を外部に排気することが可能となる。
【００３４】
ここで、第一仕切板１１の近傍には第一吸気口２１１，２１１，２１１が配置されているので、低温の外気が第一吸気口２１１，２１１，２１１によって第一仕切板１１の近傍に吸気される。一方、第二仕切板１２の近傍には第二排気口２２２，２２２及びディスプレイ排気口９，９，９が配置されているので、ディスプレイ排気口９，９，９から排出され、あるいは第二領域Ａ２内を循環して外気より高温になった空気が第二仕切板１２近傍に集まっている。
【００３５】
そこで、冷却効果の高い低温の空気を中間領域Ａ３内に引き込むために、低温の空気が近傍にある第一仕切板１１に、通気口１４が形成されている。図４に示す例では、前後方向に長尺の長孔状の通気口１４が複数、上下方向に並んで形成されている。最下部の通気口１４は、第一仕切板１１の下端（第一筐体２の底板）から離間した位置に形成されている。これにより、第一筐体２の下部にたまった雨水等が通気口１４から中間領域Ａ３に入らないようにされている。
【００３６】
一方、冷却効果の低い高温の空気を中間領域Ａ３内に引き込まないようにするために、高温の空気が近傍にある第二仕切板１２には、通気口が形成されていない。
【００３７】
中間領域Ａ３の底部には、中間領域Ａ３と第二筐体３内の空間とを連通させる連通孔１５が形成されている。排気ファン３１１，３２１によって第二筐体３内の空気が外部に排気されると第二筐体３内の気圧が低下し、第一吸気口２１１，２１１，２１１から吸気された低温の外気が、通気口１４、中間領域Ａ３、及び連通孔１５を介して第二筐体３内に引き込まれるようにされている。
【００３８】
第二筐体３内に引き込まれた空気は、第二筐体３内に配置された機器、回路等を空冷し、排気ファン３１１，３２１によって第三排気口３１，３２から強制排気される。
【００３９】
図５は、図４に示すデジタルサイネージ１に、ディスプレイ装置６，７と、第一及び第二ファンＦ１，Ｆ２とを取り付けた状態を示す説明図である。ディスプレイ装置６は第一領域Ａ１に取り付けられ、ディスプレイ装置７は第二領域Ａ２に取り付けられ、第一及び第二ファンＦ１，Ｆ２は、中間領域Ａ３の前方に取り付けられている。第一及び第二ファンＦ１，Ｆ２は、例えばクロスフローファンであり、上下方向に長尺となるように配置されている。第一及び第二ファンＦ１，Ｆ２は、互いに平行に左右方向に並んで配置され、第一ファンＦ１が右側（第一領域Ａ１側）、第二ファンＦ２が左側（第二領域Ａ２側）とされている。
【００４０】
第一ファンＦ１は、中間領域Ａ３内の空気、すなわち第一吸気口２１１，２１１，２１１から吸気され、通気口１４を介して中間領域Ａ３に流入した低温の外気を、ディスプレイ装置６の表示画面６１と第一表示窓４との間に送風する。第二ファンＦ２は、中間領域Ａ３内の空気、すなわち第一吸気口２１１，２１１，２１１から吸気され、通気口１４を介して中間領域Ａ３に流入した低温の外気を、ディスプレイ装置７の表示画面７１と第二表示窓５との間に送風する。これにより、ディスプレイ装置６，７の表示画面６１，７１を冷却可能にされている。
【００４１】
また、第一領域Ａ１又は第二領域Ａ２に雨水が浸入すると、雨水が浸入した領域の湿度が上昇し、第一筐体２前面の第一表示窓４又は第二表示窓５の内面で結露が生じて第一表示窓４又は第二表示窓５が曇ってしまうおそれがある。しかしながら、デジタルサイネージ１によれば、第一ファンＦ１及び第二ファンＦ２によって、第一表示窓４及び第二表示窓５の内面に、第一吸気口２１１，２１１，２１１から吸気された外気を主に含む風が吹き付けられるので、第一表示窓４及び第二表示窓５の内面に生じた結露による曇りを送風によって解消することが可能となる。
【００４２】
また、第一ファンＦ１及び第二ファンＦ２から送風された風によって、第一表示窓４及び第二表示窓５の内面に付着した塵埃を吹き飛ばすことができる。これにより、第一表示窓４及び第二表示窓５を清浄に保つことが容易となる。
【００４３】
なお、中間領域Ａ３内では、自然対流により暖かい空気が上昇し、低温の空気が下降する。その結果、複数の通気口１４のうち、第一仕切板１１の上方に設けられたいくつかの通気口１４については、中間領域Ａ３内を上昇した空気が通気口１４を通って第一領域Ａ１へ流れる場合がある。
【００４４】
上述のように構成されたデジタルサイネージ１は、ディスプレイ装置６が収容される第一領域Ａ１とディスプレイ装置７が収容される第二領域Ａ２とが第一仕切板１１と第二仕切板１２とで仕切られているので、第一吸気口２１１，２１１，２１１から第一領域Ａ１に雨水等が侵入した場合であっても第二領域Ａ２に水が浸入せず、第二吸気口２２１，２２１，２２１から第二領域Ａ２に雨水等が侵入した場合であっても第一領域Ａ１に水が浸入しないので、雨天であっても障害を生じるおそれを低減することができる。
【００４５】
また、第一筐体２と第二筐体３とを連通させる連通孔１５が、第一仕切板１１と第二仕切板１２とで挟まれた中間領域Ａ３の底部に設けられているので、第一領域Ａ１又は第二領域Ａ２の底部に水がたまった場合であっても、その水が連通孔１５から第二筐体３へ侵入するおそれを低減することができる。
【００４６】
また、低温の外気が吸気される第一吸気口２１１，２１１，２１１近傍の第一仕切板１１に通気口１４が形成され、第一筐体２内の機器、回路から熱を奪った高温の空気が集まる第二排気口２２２，２２２近傍の第二仕切板１２には通気口が形成されていないので、比較的低温の空気を中間領域Ａ３に導入することができる。中間領域Ａ３に導入された空気は、第一及び第二ファンＦ１，Ｆ２、排気ファン３１１，３２１によって、表示画面６１，７１及び第二筐体３内の機器の冷却に用いられるので、中間領域Ａ３に比較的低温の空気を導入することにより、表示画面６１，７１及び第二筐体３内の機器の冷却効率を向上させることができる。
【００４７】
なお、デジタルサイネージ１は、必ずしも第二筐体３を備えていなくてもよい。また、図１〜図５に示す前後、左右、上下の方向は一例であり、デジタルサイネージ１の向きはこの例と異なっていてもよい。
【符号の説明】
【００４８】
１    デジタルサイネージ
２    第一筐体
３    第二筐体
４    第一表示窓
５    第二表示窓
６    ディスプレイ装置（第一ディスプレイ装置）
７    ディスプレイ装置（第二ディスプレイ装置）
８    ディスプレイ吸気口
９    ディスプレイ排気口
１１  第一仕切板
１２  第二仕切板
１４  通気口
１５  連通孔
２１  開口部
２２  カバー
２３  排気ファン
３１，３２  第三排気口
６１，７１  表示画面
６２，７２  ディスプレイ筐体
２１１      第一吸気口
２１２      第一排気口
２２１      第二吸気口
２２２      第二排気口
３１１，３２１    排気ファン
Ａ１  第一領域
Ａ２  第二領域
Ａ３  中間領域
Ｆ１  第一ファン
Ｆ２  第二ファン
【図１】
0006644260.tif 000002
【図２】
0006644260.tif 000003
【図３】
0006644260.tif 000004
【図４】
0006644260.tif 000005
【図５】
0006644260.tif 000006